(57)【要約】【課題】  被計量物のランク別収納容器内での蓄積状況を知らせて、作業者がランク別収納容器の好適な交換時期を把握し、ランク別収納容器の交換を円滑に行い、作業効率を向上させる。【解決手段】  被計量物２の重量を計量する秤量手段７と、秤量手段７から出力された被計量物２の計量値に応じて被計量物２のランクを判別してランク指定信号を出力するランク信号出力手段１０と、各ランクＡ〜Ｅごとに振り分ける振り分け手段８と、振り分けられた被計量物２を蓄積させるランク別収納容器１４とを備えた重量選別装置１において、ランク指定信号に基づいて各ランク別収納容器１４内の被計量物２の個数を計数する個数累積手段１１と、被計量物２の個数を各ランク別収納容器１４ごとに表示させる表示手段１３とを備える。【選択図】    図１
2005144263.tif 000002
【特許請求の範囲】
【請求項１】
被計量物（２）の重量を計量する秤量手段（７）と、複数ランク（Ａ〜Ｅ）の重量範囲を規定するリミット値が設定され、前記秤量手段から出力された被計量物の計量値に応じて該被計量物のランクを判別して対応するランク指定信号を出力するランク信号出力手段（１０）と、前記ランク信号出力手段から出力されるランク指定信号に基づいて前記被計量物を該当するランクに関連付けられた排出先に振り分ける振り分け手段（８）と、各ランクごとに設置され振り分けられた前記被計量物を蓄積させるランク別収納容器（１４）とを備えた重量選別装置（１）において、
前記ランク信号出力手段から出力されるランク指定信号に基づいて前記各ランク別収納容器内の前記被計量物の個数を計数する個数累積手段（１１）と、該個数累積手段によって計数された前記被計量物の個数を各ランク別収納容器ごとに表示させる表示手段（１３）とを備えたことを特徴とする重量選別装置。
【請求項２】
前記表示手段は、前記各ランク別収納容器内における前記被計量物の個数が前記ランク別収納容器を充満させる個数より少ない値に設定された所定個数を上回った場合に全ランク別収納容器の表示状態のうち当該ランク別収納容器の表示状態を変化させることを特徴とする請求項１記載の重量選別装置。
【請求項３】
被計量物（２）の重量を計量する秤量手段（７）と、複数ランク（Ａ〜Ｅ）の重量範囲を規定するリミット値が設定され、前記秤量手段から出力された被計量物の計量値に応じて該被計量物のランクを判別して対応するランク指定信号を出力するランク信号出力手段（１０）と、前記ランク信号出力手段から出力されるランク指定信号に基づいて前記被計量物を該当するランクに関連付けられた排出先に振り分ける振り分け手段（８）と、各ランクごとに設置され振り分けられた前記被計量物を蓄積させるランク別収納容器（１４）とを備えた重量選別装置（１）において、
前記ランク信号出力手段から出力されるランク指定信号に基づいて前記各ランク別収納容器内の前記被計量物の合計重量を計量する重量累積手段（１２）と、該重量累積手段によって計量された前記被計量物の合計重量を各ランク別収納容器ごとに表示させる表示手段（１３）とを備えたことを特徴とする重量選別装置。
【請求項４】
前記表示手段は、前記各ランク別収納容器内における前記被計量物の合計重量が前記ランク別収納容器を充満させる重量より小さい値に設定された所定重量を上回った場合に全ランク別収納容器の表示状態のうち当該ランク別収納容器の表示状態を変化させることを特徴とする請求項３記載の重量選別装置。
【請求項５】
前記表示手段が、前記ランク別収納容器内に前記被計量物が充満するまでにかかる予想残り時間（Ｔ）を各ランク別収納容器ごとに常時表示させることを特徴とする請求項１，２，３，４の何れか１つに記載の重量選別装置。
【請求項６】
被計量物（２）の重量を計量する秤量手段（７）と、複数ランク（Ａ〜Ｅ）の重量範囲を規定するリミット値が設定され、前記秤量手段から出力された被計量物の計量値に応じて該被計量物のランクを判別して対応するランク指定信号を出力するランク信号出力手段（１０）と、前記ランク信号出力手段から出力されるランク指定信号に基づいて前記被計量物を該当するランクに関連付けられた排出先に振り分ける振り分け手段（８）と、各ランクごとに設置され振り分けられた前記被計量物を蓄積させるランク別収納容器（１４）とを備えた重量選別装置（１）において、
前記ランク信号出力手段から出力されるランク指定信号に基づいて前記各ランク別収納容器内の前記被計量物の個数を計数する個数累積手段（１１）と、前記各ランク別収納容器内における前記被計量物の個数が前記ランク別収納容器を充満させる個数より少ない値に設定された所定個数を上回った場合にアラーム信号を出力する警告手段とを備えたことを特徴とする重量選別装置。
【請求項７】
被計量物（２）の重量を計量する秤量手段（７）と、複数ランク（Ａ〜Ｅ）の重量範囲を規定するリミット値が設定され、前記秤量手段から出力された被計量物の計量値に応じて該被計量物のランクを判別して対応するランク指定信号を出力するランク信号出力手段（１０）と、前記ランク信号出力手段から出力されるランク指定信号に基づいて前記被計量物を該当するランクに関連付けられた排出先に振り分ける振り分け手段（８）と、各ランクごとに設置され振り分けられた前記被計量物を蓄積させるランク別収納容器（１４）とを備えた重量選別装置（１）において、
前記ランク信号出力手段から出力されるランク指定信号に基づいて前記各ランク別収納容器内の前記被計量物の合計重量を計量する重量累積手段（１２）と、前記各ランク別収納容器内における前記被計量物の重量が前記ランク別収納容器を充満させる重量より小さい値に設定された所定重量を上回った場合にアラーム信号を出力する警告手段とを備えたことを特徴とする重量選別装置。
【発明の詳細な説明】
【技術分野】
【０００１】
本発明は、送り込まれてくる被計量物の重量を計量し、その計量値に応じて該被計量物のランクを判別し、該当するランクに関連付けられた排出先に該被計量物を振り分ける機能を備えた重量選別装置に係り、特に作業員が、重量選別装置の後段での作業を効率的に行うことができる重量選別装置に関する。
【背景技術】
【０００２】
下記特許文献１に開示された重量選別装置は、供給された被計量物の計量値によって当該被計量物を対応するランクに排出処理する構成とされており、各ランクごとに排出された被計量物の各ランクごとの総重量または総個数が一定の値になるように制御することができる。この重量選別装置の後段では、一般に、各ランクごとに排出された被計量物は、各ランクごとに設置されているランク別収納容器内に排出蓄積される。
【特許文献１】特開平１０−２９６１９２号公報
【発明の開示】
【発明が解決しようとする課題】
【０００３】
しかしながら、上述した従来の重量選別装置では、各ランクに排出される被計量物が、ランクごとに設置されているランク別収納容器に蓄積される際、作業者は外から当該ランク別収納容器の内部が見えないため被計量物がランク別収納容器内に充満するまで気付かないことがあった。このとき作業者は、ランク別収納容器内が充満してから交換用の収納別の収納容器を準備することになるため、その間に被計量物がランク別収納容器から溢れ出してしまい作業効率を低下させていた。また、作業者が他の処理作業に追われ、この作業者が気付かない間にランク別収納容器が充満していることがあった。
【０００４】
また、ランク別収納容器内に被計量物が充満したことを通知させるために、各ランクの個数，質量などをセンサで監視し、ランク別収納容器が充満したら信号を出力する方法も考案されている。しかし、これはランク別収納容器が充満してから通知されるため、上述した問題と同様に、作業者は交換用の収納容器の準備が遅れ、被計量物がランク別収納容器から溢れてしまい作業効率を低下させていた。
【０００５】
そこで本発明は、上記問題点を解消するために、各ランクごとに設置されているランク別収納容器に蓄積される被計量物の該ランク別収納容器内での蓄積状況を知らせて、作業者がランク別収納容器の好適な交換時期を把握でき、該ランク別収納容器の交換を円滑に行い作業効率を向上させる重量選別装置を提供することを目的としている。
【課題を解決するための手段】
【０００６】
次に、上記の課題を解決するための手段を、実施の形態に対応する図面を参照して説明する。
本発明の請求項１記載の重量選別装置は、被計量物２の重量を計量する秤量手段７と、複数ランクＡ〜Ｅの重量範囲を規定するリミット値が設定され、前記秤量手段７から出力された被計量物２の計量値に応じて該被計量物２のランクを判別して対応するランク指定信号を出力するランク信号出力手段１０と、前記ランク信号出力手段１０から出力されるランク指定信号に基づいて前記被計量物２を該当するランクＡ〜Ｅに関連付けられた排出先に振り分ける振り分け手段８と、各ランクＡ〜Ｅごとに設置され振り分けられた前記被計量物２を蓄積させるランク別収納容器１４（１４Ａ〜１４Ｅ）とを備えた重量選別装置１において、
前記ランク信号出力手段１０から出力されるランク指定信号に基づいて前記各ランク別収納容器１４（１４Ａ〜１４Ｅ）内の前記被計量物２の個数を計数する個数累積手段１１と、該個数累積手段１１によって計数された前記被計量物２の個数を各ランク別収納容器１４（１４Ａ〜１４Ｅ）ごとに表示させる表示手段１３とを備えたことを特徴とする。
【０００７】
請求項２記載の重量選別装置は、前記表示手段１３は、前記各ランク別収納容器１４（１４Ａ〜１４Ｅ）内における前記被計量物２の個数が前記ランク別収納容器１４（１４Ａ〜１４Ｅ）を充満させる個数より少ない値に設定された所定個数を上回った場合に全ランク別収納容器１４（１４Ａ〜１４Ｅ）の表示状態のうち当該ランク別収納容器１４の表示状態を変化させることを特徴とする。
【０００８】
請求項３記載の重量選別装置は、被計量物２の重量を計量する秤量手段７と、複数ランクＡ〜Ｅの重量範囲を規定するリミット値が設定され、前記秤量手段７から出力された被計量物２の計量値に応じて該被計量物２のランクを判別して対応するランク指定信号を出力するランク信号出力手段１０と、前記ランク信号出力手段１０から出力されるランク指定信号に基づいて前記被計量物２を該当するランクＡ〜Ｅに関連付けられた排出先に振り分ける振り分け手段８と、各ランクＡ〜Ｅごとに設置され振り分けられた前記被計量物２を蓄積させるランク別収納容器１４（１４Ａ〜１４Ｅ）とを備えた重量選別装置１において、
前記ランク信号出力手段１０から出力されるランク指定信号に基づいて前記各ランク別収納容器１４（１４Ａ〜１４Ｅ）内の前記被計量物２の合計重量を計量する重量累積手段１２と、該重量累積手段１２によって計量された前記被計量物２の合計重量を各ランク別収納容器１４（１４Ａ〜１４Ｅ）ごとに表示させる表示手段１３とを備えたことを特徴とする。
【０００９】
請求項４記載の重量選別装置は、前記表示手段１３は、前記各ランク別収納容器１４（１４Ａ〜１４Ｅ）内における前記被計量物２の合計重量が前記ランク別収納容器１４（１４Ａ〜１４Ｅ）を充満させる重量より小さい値に設定された所定重量を上回った場合に全ランク別収納容器１４（１４Ａ〜１４Ｅ）の表示状態のうち当該ランク別収納容器１４の表示状態を変化させることを特徴とする。
【００１０】
請求項５記載の重量選別装置は、前記表示手段１３が、前記ランク別収納容器１４（１４Ａ〜１４Ｅ）内に前記被計量物２が充満するまでにかかる予想残り時間Ｔを各ランク別収納容器１４（１４Ａ〜１４Ｅ）ごとに常時表示させることを特徴とする。
【００１１】
このような構成によれば、各ランクＡ〜Ｅごとに設置されている各ランク別収納容器１４（１４Ａ〜１４Ｅ）に蓄積される被計量物２の蓄積状況が表示手段１３によって表示されることから、作業者はそれを知ることができ、ランク別収納容器１４の好適な交換時期を把握することができる。
【００１２】
また、表示手段１３が、全ランクＡ〜Ｅの表示状態のうち被計量物２がランク別収納容器１４（１４Ａ〜１４Ｂ）を充満させる前となる所定値（所定個数，所定重量）を上回った場合に当該ランクの表示状態を変化させることから、上記同様に、作業者はランク別収納容器１４の好適な交換時期を把握することができる。
【００１３】
さらに、表示手段１３が、各ランク別収納容器１４（１４Ａ〜１４Ｅ）内に被計量物２が充満するまでにかかる予想残り時間Ｔを常時表示させていることにより、作業者は各ランク別収納容器１４（１４Ａ〜１４Ｅ）が充満するまでの残り時間Ｔを知ることができる。
【００１４】
請求項６記載の重量選別装置は、被計量物２の重量を計量する秤量手段７と、複数ランクＡ〜Ｅの重量範囲を規定するリミット値が設定され、前記秤量手段７から出力された被計量物２の計量値に応じて該被計量物２のランクを判別して対応するランク指定信号を出力するランク信号出力手段１０と、前記ランク信号出力手段１０から出力されるランク指定信号に基づいて前記被計量物２を該当するランクＡ〜Ｅに関連付けられた排出先に振り分ける振り分け手段８と、各ランクＡ〜Ｅごとに設置され振り分けられた前記被計量物２を蓄積させるランク別収納容器１４（１４Ａ〜１４Ｅ）とを備えた重量選別装置１において、
前記ランク信号出力手段１０から出力されるランク指定信号に基づいて前記各ランク別収納容器１４（１４Ａ〜１４Ｅ）内の前記被計量物２の個数を計数する個数累積手段１１と、前記各ランク別収納容器１４（１４Ａ〜１４Ｅ）内における前記被計量物２の個数が前記ランク別収納容器１４（１４Ａ〜１４Ｅ）を充満させる個数より少ない値に設定された所定個数を上回った場合にアラーム信号を出力する警告手段とを備えたことを特徴とする。
【００１５】
請求項７記載の重量選別装置は、被計量物２の重量を計量する秤量手段７と、複数ランクＡ〜Ｅの重量範囲を規定するリミット値が設定され、前記秤量手段７から出力された被計量物２の計量値に応じて該被計量物２のランクを判別して対応するランク指定信号を出力するランク信号出力手段１０と、前記ランク信号出力手段１０から出力されるランク指定信号に基づいて前記被計量物２を該当するランクＡ〜Ｅに関連付けられた排出先に振り分ける振り分け手段８と、各ランクＡ〜Ｅごとに設置され振り分けられた前記被計量物２を蓄積させるランク別収納容器１４（１４Ａ〜１４Ｅ）とを備えた重量選別装置１において、
前記ランク信号出力手段１０から出力されるランク指定信号に基づいて前記各ランク別収納容器１４（１４Ａ〜１４Ｅ）内の前記被計量物２の合計重量を計量する重量累積手段１２と、前記各ランク別収納容器１４（１４Ａ〜１４Ｅ）内における前記被計量物２の重量が前記ランク別収納容器１４（１４Ａ〜１４Ｅ）を充満させる重量より小さい値に設定された所定重量を上回った場合にアラーム信号を出力する警告手段とを備えたことを特徴とする。
【００１６】
このような構成によれば、各ランク収納容器１４（１４Ａ〜１４Ｅ）に蓄積される被計量物２が、ランク別収納容器１４に充満する前となる所定値（所定個数，所定重量）を上回った場合に警告手段によって作業者に知らされる。
【発明の効果】
【００１７】
本発明による重量選別装置によれば、各ランクごとに設置されている各ランク別収納容器に蓄積される被計量物の蓄積状況が表示手段によって表示されることから、作業者はそれを知ることができ、ランク別収納容器の好適な交換時期を把握することができる。これにより、ランク別収納容器の交換を確実行うことが可能となる。したがって、作業効率を向上させることができる。また、作業者は一目で各ランク別収納容器内の被計量物２の蓄積状況を確認できることから、直接各ランク別収納容器内を確認する手間を省くことができる。これにより、作業者の作業負担が軽減される。
【００１８】
また、表示手段が、全ランクの表示状態のうち被計量物がランク別収納容器を充満させる前となる所定値を上回った場合に当該ランクの表示状態を変化させることから、上記同様に、作業者はランク別収納容器の好適な交換時期を把握することができ、ランク別収納容器の交換を確実行うことが可能となる。これにより、作業効率を向上させることができる。
【００１９】
さらに、表示手段が、各ランク別収納容器内に被計量物が充満するまでにかかる予想残り時間を常時表示させていることにより、作業者は各ランク別収納容器が充満するまでの残り時間を知ることができ、次回のランク別収納容器の交換準備の目安とすることができる。これにより、上記同様に、作業効率を向上させることができるという効果が得られる。
【００２０】
また、各ランク収納容器に蓄積される被計量物が、ランク別収納容器に充満する前となる所定値を上回った場合に警告手段によって作業者に知らされるため、作業者はランク別収納容器の交換時期を知ることが可能となる。特に、作業者が他の作業に没頭しているときなどにおいても、被計量物がランク別収納容器から溢れることなく当該ランク別収納容器の交換を行うことが可能となる。これにより、上記同様に、作業効率を向上させることができるという効果が得られる。
【発明を実施するための最良の形態】
【００２１】
以下、本発明を実施するために特許出願人が出願時点で最良と思う本発明の実施の形態を図面を参照して説明する。
図１は本発明による重量選別装置の選別作業時を示す模式的な平面図である。
【００２２】
第１の実施の形態
図２は本発明による重量選別装置の第１の実施の形態を示す機能ブロック図、図３は同第１の実施の形態の表示手段における表示状態を示す図である。
【００２３】
図１に示すように、本発明の第１の実施の形態の重量選別装置１は、被計量物２を搬送して計量に供する導入部３と、前記導入部３から搬送された被計量物２を搬送しながら計量する測定部４と、前記測定部４で測定された被計量物２を計量結果に応じて選別する選別部５と、重量選別装置１の各被制御部分を統括的に制御するために各種信号・データなどを処理して制御信号などを発生する処理手段としての処理部６とを有している。
【００２４】
導入部３は、被計量物２を搬送するための搬送手段である搬送コンベアを有しており、被計量物２は図示しない作業員の手作業または図示しない供給装置によって搬送コンベアに適当な間隔で投入されて次段の測定部４に搬送される。
【００２５】
測定部４は、前記導入部３の搬送コンベアによって搬送されてきた被計量物２を受け取ってさらに先へと搬送する搬送コンベアと、この搬送コンベアに設けられて搬送中の被計量物２の重量を計量する秤量手段７とを有している。なお、図示はしないが、測定部４の搬送コンベアを、被計量物２の状態が安定するのを待ちつつ搬送する前段の第１の搬送コンベアと、秤量手段７が設けられた後段の第２の搬送コンベアからなる構成としてもよい。
【００２６】
選別部５は、測定部４で計量された被計量物２を受け取ってさらに先に搬送する搬送コンベアと、この搬送コンベアの一方の側縁の近傍に搬送コンベアの搬送方向Ｌに沿って所定間隔で複数台が設けられた振り分け手段としての振り分けアーム８とを有している。
【００２７】
振り分けアーム８は、搬送コンベアが搬送してきた被計量物２をそのまま通過させる搬送コンベアと平行な基本位置と、搬送コンベアと交差して搬送コンベアが搬送してきた被計量物２を阻止する動作位置との間でアクチュエータの駆動力により揺動可能であり、所定のタイミングで揺動して、動作位置において被計量物２を受け止めた後に基本位置に戻ることにより、当該被計量物２を搬送コンベアから基本位置の外に設定された特定の重量ランクに相当する選別位置（図１に示すランクＡ〜Ｅ）に振り分けることができる。振り分けられた被計量物２は各ランクＡ〜Ｅの後段にそれぞれ設置されているランク別収納容器１４（１４Ａ〜１４Ｅ）へと排出される。
なお、本実施の形態では、振り分けアームにより被計量物２を振り分けているが、これに限らず、例えば、振り分け手段としてエアーを直接被計量物２に当てたり、搬送コンベア上で開口部が開いて被計量物２が下方へ落ちるようにして被計量物２の振り分けを行ってもよい。
【００２８】
図２に示すように、処理部６は、各ランク（図１に示すランクＡ〜Ｅ）の重量範囲を設定するリミット値が設定され、前記秤量手段７から出力された被計量物２の計量値に応じて該被計量物２のランクを判別して対応するランク指定信号を前記選別部５に出力して前記振り分けアーム８（振り分け手段）を作動させるランク信号出力手段１０を有している。したがって、前記振り分けアーム８は、前記ランク信号出力手段１０から出力されるランク指定信号に基づいて前記被計量物２を該当するランクに関連付けられた排出先に振り分けることができる。
【００２９】
また、処理部６は、前記ランク信号出力手段１０から出力されるランク指定信号に基づいて各ランクＡ〜Ｅごとに被計量物２を計数して後述する表示手段１３へ信号を出力する個数累積手段１１を備えている。個数累積手段１１は、各ランクＡ〜Ｅごとに設置されている前記ランク別収納容器１４（１４Ａ〜１４Ｅ）が充満する個数よりも少なく設定された所定個数を上回ると、表示手段１３へアラーム信号を出力する。
【００３０】
前述した表示手段１３は、図３に示すように、各ランク別収納容器１４（１４Ａ〜１４Ｅ）ごとの被計量物２の蓄積状況を表示させる。表示手段１３は、前記個数累積手段１１から前記アラーム信号が出力されると、所定個数を上回ったランクに対して表示状態を変化させる。本実施の形態では、例として、各ランク別収納容器１４（１４Ａ〜１４Ｅ）を画像表示させ、各ランク別収納容器１４（１４Ａ〜１４Ｅ）を充満させる被計量物２の個数が２５個である場合、前記個数累積手段１１でランク別収納容器１４の９０％を境目として設定されている。そして、ランク別収納容器１４の９０％以上となる２３個の被計量物２が蓄積されると、当該ランク別収納容器１４（図３に示す例ではランクＢに設置されているランク別収納容器１４Ｂ）の画像表示を点滅あるいは強調などをさせている。本実施の形態の表示手段１３は、画像表示の他に、ランク別収納容器１４に蓄積される被計量物２の個数を数値表示させている。
【００３１】
また、表示手段１３は、各ランクＡ〜Ｅに排出される被計量物２の各ランク別収納容器１４（１４Ａ〜１４Ｅ）が充満するまでにかかる予想残り時間Ｔ（ｍｉｎ）を表示させている。予想残り時間Ｔ（ｍｉｎ）は、ランク別収納容器１４が設置されてから現在までに経過した時間ｔ（ｍｉｎ），目標値として設定された被計量物２の個数Ｎ（ランク別収納容器１４を充満させる個数），現在までに計数された被計量物２の個数ｎに基づき、下記式によって得られる。
Ｔ＝ｔ×（（Ｎ−ｎ）／ｎ）…（１）
なお、被計量物２は、その種類によって排出されるランクにある程度の偏りがあるものの基本的には各ランクＡ〜Ｅにランダムに選別される。そのため、必ずしも確実に予想残り時間Ｔが算出されているものではなく、例えば、あるランクの残り時間Ｔが作業時間の経過と共に増えるという事態も起こる。この予想残り時間Ｔは、作業者の目安とされるものである。
【００３２】
第２の実施の形態
図４は本発明による重量選別装置の第２の実施の形態を示す機能ブロック図、図５は同第２の実施の形態の表示手段における表示状態を示す図である。
【００３３】
以下で説明する第２の実施の形態の重量選別装置１は、処理部６および表示手段１３の構成において上述した第１の実施の形態と異なる。そこで、その他の第１の実施の形態と同等あるいは同一の箇所には同一の符号を付し、その説明を省略する。
【００３４】
図４に示すように、処理部６は、各ランク（図１に示すランクＡ〜Ｅ）の重量範囲を設定するリミット値が設定され、前記秤量手段７から出力された被計量物２の計量値に応じて該被計量物２のランクを判別して対応するランク指定信号を前記選別部５に出力して前記振り分けアーム８（振り分け手段）を作動させるランク信号出力手段１０を有している。したがって、前記振り分けアーム８は、前記ランク信号出力手段１０から出力されるランク指定信号に基づいて前記被計量物２を該当するランクに関連付けられた排出先に振り分けることができる。
【００３５】
また、処理部６は、前記ランク信号出力手段１０から出力されるランク指定信号に基づいて各ランクＡ〜Ｅごとに被計量物２を計量して後述する表示手段１３へ信号を出力する重量累積手段１２を備えている。重量累積手段１２は、各ランクＡ〜Ｅごとに設置されている前記ランク別収納容器１４（１４Ａ〜１４Ｅ）が充満する重量よりも小さく設定された所定重量を上回ると、表示手段１３へアラーム信号を出力する。
【００３６】
前述した表示手段１３は、図５に示すように、各ランク別収納容器１４（１４Ａ〜１４Ｅ）ごとの被計量物２の蓄積状況を表示させる。表示手段１３は、前記重量累積手段１２から前記アラーム信号が出力されると、所定重量を上回ったランクに対して表示状態を変化させる。本実施の形態では、例として、各ランク別収納容器１４（１４Ａ〜１４Ｅ）を画像表示させ、各ランク別収納容器１４（１４Ａ〜１４Ｅ）を充満させる被計量物２の合計重量が１０ｋｇである場合、前記重量累積手段１２でランク別収納容器１４の９０％を境目として設定されている。そして、ランク別収納容器１４の９０％以上となる９．０ｋｇの被計量物２が蓄積されると、当該ランク別収納容器１４（図３に示す例ではランクＢに設置されているランク別収納容器１４Ｂ）の画像表示を点滅あるいは強調などをさせている。本実施の形態の表示手段１３は、画像表示の他に、ランク別収納容器に蓄積される被計量物２の重量を数値表示させている。
【００３７】
また、表示手段１３は、各ランクＡ〜Ｅに排出される被計量物２の各ランク別収納容器１４（１４Ａ〜１４Ｅ）が充満するまでにかかる予想残り時間Ｔ（ｍｉｎ）を表示させている。予想残り時間Ｔ（ｍｉｎ）は、ランク別収納容器１４が設置されてから現在までに経過した時間ｔ（ｍｉｎ），目標値として設定された被計量物２の合計重量Ｎ（ランク別収納容器１４を充満させる重量），現在までに計量された被計量物２の合計重量ｎに基づき、下記式によって得られる。
Ｔ＝ｔ×（（Ｎ−ｎ）／ｎ）…（１）
なお、被計量物２は、その種類によって排出されるランクにある程度の偏りがあるものの基本的には各ランクＡ〜Ｅにランダムに選別される。そのため、必ずしも確実に予想残り時間Ｔが算出されているものではなく、例えば、あるランクの残り時間Ｔが作業時間の経過と共に増えるという事態も起こる。この予想残り時間Ｔは、作業者の目安とされるものである。
【００３８】
なお、第１，第２の実施の形態では、処理部６での累積手段における累積単位としてそれぞれ被計量物２の個数，重量としていたが、処理部６は、個数累積手段１１と重量累積手段１２との両方を備える構成としてもよい。これにより、作業者は被計量物２の種類に応じて、好適な方の累積手段で各ランクごとに被計量物２を累積することが可能となる。
【００３９】
また、第１の実施の形態では、個数累積手段１１から表示手段１３へ信号が出力され、特にランク別収納容器１４（１４Ａ〜１４Ｅ）が充満する個数よりも少なく設定された所定個数を上回るとアラーム信号が表示手段１３へ出力される構成となっているが、表示手段１３を設けることなく、個数累積手段１１から警告手段へ前記アラーム信号のみが出力される構成としてもよい。この場合、例えば、警告手段としての警報器が各ランクＡ〜Ｅごとに設けられ、特異の音響や光線の発光などによって作業者に各ランク別収納容器１４（１４Ａ〜１４Ｅ）内の被計量物２の蓄積状況を知らせることができる。
【００４０】
さらに、表示手段１３と警告手段との両方を備え、個数累積手段１１から表示手段１３へ信号が出力され、上述の所定個数を上回るとアラーム信号が表示手段１３と警告手段との両方に出力される構成としてもよい。この場合、例えば、個数累積手段１１からアラーム信号が出力されると、表示手段１３が所定個数を上回ったランク別収納容器１４（１４Ａ〜１４Ｅ）の表示状態を変化させると共に、警報手段としての警報器が特異の音響や光線の発光などによって作業者に各ランク別収納容器１４（１４Ａ〜１４Ｅ）内の被計量物２の蓄積状況を知らせることができる。
なお、表示手段１３と警告手段のうちどちらか一方を任意に選択できる構成としてもよい。この場合、作業者は作業状況に応じて、表示手段１３と警告手段のうち好適な方を使用することができる。
【００４１】
また、第２の実施の形態では、重量累積手段１２から表示手段１３へ信号が出力され、特にランク別収納容器１４（１４Ａ〜１４Ｅ）が充満する重量よりも小さく設定された所定重量を上回るとアラーム信号が表示手段１３へ出力される構成となっているが、上記同様に、表示手段１３を設けることなく、重量累積手段１２から警告手段へ前記アラーム信号のみが出力される構成としてもよい。この場合、例えば、警告手段としての警報器が各ランクＡ〜Ｅごとに設けられ、特異の音響や光線の発光などによって作業者に各ランク別収納容器１４（１４Ａ〜１４Ｅ）内の被計量物２の蓄積状況を知らせることができる。
【００４２】
さらに、表示手段１３と警告手段との両方を備え、重量累積手段１２から表示手段１３へ信号が出力され、上述の所定重量を上回るとアラーム信号が表示手段１３と警告手段との両方に出力される構成としてもよい。この場合、例えば、重量累積手段１２からアラーム信号が出力されると、表示手段１３が所定重量を上回ったランク別収納容器１４（１４Ａ〜１４Ｅ）の表示状態を変化させると共に、警報手段としての警報器が特異の音響や光線の発光などによって作業者に各ランク別収納容器１４（１４Ａ〜１４Ｅ）内の被計量物２の蓄積状況を知らせることができる。
なお、表示手段１３と警告手段のうちどちらか一方を任意に選択できる構成としてもよい。この場合、作業者は作業状況に応じて、表示手段１３と警告手段のうち好適な方を使用することができる。
【００４３】
また、処理部６が個数累積手段１１と重量累積手段１２との両方を備え、且つ表示手段１３と警告手段とを備える構成としてもよい。この場合、作業者は、被計量物２の種類に応じて、好適な方の累積手段で各ランクごとに被計量物２を累積することができ、更に表示手段１３と警告手段との両方から各ランク別収納容器１４（１４Ａ〜１４Ｅ）内の被計量物２の蓄積状況を知ることができる。
なお、上記同様に、作業者が表示手段１３と警告手段のうちどちらか一方を任意に選択できる構成としてもよい。
【００４４】
この実施の形態によれば、各ランクＡ〜Ｅごとに設置されている各ランク別収納容器１４（１４Ａ〜１４Ｅ）に蓄積される被計量物２の蓄積状況が表示手段１３によって表示されることから、作業者はそれを知ることができ、ランク別収納容器１４の好適な交換時期を把握することができる。これにより、ランク別収納容器１４の交換を確実行うことが可能となる。したがって、作業効率を向上させることができる。また、作業者は一目で各ランク別収納容器１４（１４Ａ〜１４Ｅ）内の被計量物２の蓄積状況を確認できることから、直接各ランク別収納容器１４（１４Ａ〜１４Ｅ）内を確認する手間を省くことができる。これにより、作業者の作業負担が軽減される。
【００４５】
また、表示手段１３が、全ランクＡ〜Ｅの表示状態のうち被計量物２がランク別収納容器１４（１４Ａ〜１４Ｂ）を充満させる前となる所定値（所定個数，所定重量）を上回った場合に当該ランクの表示状態を変化させることから、上記同様に、作業者はランク別収納容器１４の好適な交換時期を把握することができ、ランク別収納容器１４の交換を確実行うことが可能となる。これにより、作業効率を向上させることができる。
【００４６】
さらに、表示手段１３が、各ランク別収納容器１４（１４Ａ〜１４Ｅ）内に被計量物２が充満するまでにかかる予想残り時間Ｔを常時表示させていることにより、作業者は各ランク別収納容器１４（１４Ａ〜１４Ｅ）が充満するまでの残り時間Ｔを知ることができ、次回のランク別収納容器１４の交換準備の目安とすることができる。これにより、上記同様に、作業効率を向上させることができるという効果が得られる。
【００４７】
また、各ランク収納容器１４（１４Ａ〜１４Ｅ）に蓄積される被計量物２が、ランク別収納容器１４に充満する前となる所定値（所定個数，所定重量）を上回った場合に警告手段としての警報器の音響や光線などによって作業者に知らされるため、作業者はランク別収納容器１４の交換時期を知ることが可能となる。特に、作業者が他の作業に没頭しているときなどにおいても、被計量物２がランク別収納容器１４から溢れることなく当該ランク別収納容器１４の交換を行うことが可能となる。これにより、上記同様に、作業効率を向上させることができるという効果が得られる。
【図面の簡単な説明】
【００４８】
【図１】本発明の重量選別装置の選別作業時を示す模式的は平面図である。
【図２】本発明の重量選別装置の第１の実施の形態を示す機能ブロック図である。
【図３】本発明の重量選別装置の第１の実施の形態の表示手段における表示状態を示す図である。
【図４】本発明の重量選別装置の第２の実施の形態を示す機能ブロック図である。
【図５】本発明の重量選別装置の第２の実施の形態の表示手段における表示状態を示す図である。
【符号の説明】
【００４９】
１…重量選別装置
２…被計量物
７…秤量手段
８…振り分け手段
１０…ランク信号出力手段
１１…個数累積手段
１２…重量累積手段
１３…表示手段
１４（１４Ａ〜１４Ｅ）…ランク別収納容器
Ａ〜Ｅ…ランク
Ｔ…予想残り時間
【図１】
2005144263.tif 000003
【図２】
2005144263.tif 000004
【図３】
2005144263.tif 000005
【図４】
2005144263.tif 000006
【図５】
2005144263.tif 000007